(57)【要約】【課題】  本発明は釣り情報表示装置に係り、実釣時の状況変化に応じた表示状態を現出することで、魚釣り操作性の向上を図った釣り情報表示装置を提供することを目的とする。【解決手段】  魚群探知機の水中探知情報と、糸長計測装置の糸長計測情報とを同一画面上に重ね合わせて表示する表示器を有する釣り情報表示装置であって、前記水中探知情報と糸長計測情報に応じ、表示器の表示状態を変更可能としたことを特徴とする。【選択図】    図４
2007215457.tif 000002
【特許請求の範囲】
【請求項１】
魚群探知機の水中探知情報と、糸長計測装置の糸長計測情報とを同一画面上に重ね合わせて表示する表示器を有する釣り情報表示装置であって、前記水中探知情報と糸長計測情報に応じ、表示器の表示状態を変更可能としたことを特徴とする釣り情報表示装置。
【発明の詳細な説明】
【技術分野】
【０００１】
本発明は、釣船に艤装された魚群探知機から送信された釣り情報を表示する表示装置に関する。
【背景技術】
【０００２】
釣果の向上を図るため、近年、多くの魚釣用リールには、釣糸の繰出し及び巻取り時の糸長を計測する糸長計測装置が備えられている。
この糸長計測装置は、スプールの回転数と回転方向を検出する回転検出装置の検出値を基に糸長を計測して、糸長計測値をリール本体に装着した表示器に表示させるものである。
【０００３】
しかし、この糸長計測装置は、あくまで釣糸の繰出し量や巻取り量を計測するものであって、水深や海底形状を計測表示するものではないため、魚群のいる位置に合わせて正確に棚取りすることができなかった。
そこで、昨今、糸長計測装置を備えた魚釣用リールと魚群探知機とを交信可能に接続し、魚群探知機の表示装置に表示される水中探知情報（魚探情報）上に、魚釣用リールからの糸長計測情報（糸長計測値）を重合表示可能とした棚取り表示システムが特許文献１に開示され、また、特許文献２には、魚釣用リールの表示器に、糸長計測情報と重合させて魚群探知機からの水中探知情報を表示可能としたものが知られている。
【特許文献１】特開平５−１９６７３２号公報
【特許文献２】特開２００２−２６２７３９号公報
【発明の開示】
【発明が解決しようとする課題】
【０００４】
しかし乍ら、特許文献１に開示された棚取り表示システムは、魚群探知機の表示装置内の限られた表示スペースに、水中探知情報と糸長計測情報とを同一スケールで継続的に重合表示する構成のため、刻々変化する糸長計測装置からの仕掛けの相対位置（糸長）が単調で見難く、棚取り操作を容易且つ円滑に行えない不具合があった。
また、特許文献２の魚釣用リールにあっては、前記特許文献１と同様の不具合に加え、リール本体の上部に装着された表示器に、糸長計測情報と魚群探知機の水中探知情報を重合表示するため、表示スペースが狭くて限られてしまい、画像，文字，記号，数字等が特に小さくなって水中探知情報の視認性が悪いといった課題が指摘されていた。
【０００５】
本発明は斯かる実情に鑑み案出されたもので、仕掛けの状況に応じた表示を可能とすることで、魚釣り操作性の向上を図った釣り情報表示装置を提供することを目的とする。
【課題を解決するための手段】
【０００６】
斯かる目的を達成するため、請求項１に係る発明は、魚群探知機の水中探知情報と、糸長計測装置の糸長計測情報とを同一画面上に重ね合わせて表示する表示器を有する釣り情報表示装置であって、前記水中探知情報と糸長計測情報に応じ、表示器の表示状態を変更可能としたことを特徴とする。
【発明の効果】
【０００７】
請求項１に係る発明によれば、糸長計測情報と水中探知情報に基づき表示器の表示状態を自動的に変更可能としたので、仕掛けの状況変化に適した表示態様によって、棚取り，誘い，巻取り等の魚釣り操作を容易に行うことができることとなった。
【発明を実施するための最良の形態】
【０００８】
以下、本発明の実施形態を図面に基づいて詳細に説明する。
図１乃至図８は請求項１に係る釣り情報表示装置を魚釣用電動リール（以下、「電動リール」という）に適用した一実施形態を示し、図１に於て、１，３はフレーム５の左右に取り付く側板で、両側板１，３とフレーム５とによって電動リール７のリール本体９が構成されている。そして、両側板１，３間にスプール軸が軸受を介して回転可能に取り付き、スプール軸にスプール１１が回転可能に支持されている。
【０００９】
スプール１１は、スプール駆動モータ（図２中、符号１３）の駆動やハンドル１５の巻取り操作で回転して釣糸が巻回されるようになっており、スプール駆動モータ１３はスプール１１前方のフレーム５に一体成形されたモータケース内に収納されている。
そして、ハンドル１５側の側板３の上部前方に、特許第２９７７９７８号公報で開示された電動リールと同様、スプール駆動モータ１３のモータ出力を調節するレバー形状のモータ出力調節体（以下、「パワーレバー」という）１７がハンドル１５と同方向へ回転操作可能に取り付けられており、当該パワーレバー１７の操作で、制御ボックス１９内に装着した図２のマイクロコンピュータ２１が、モータ駆動回路２３を介してスプール駆動モータ１３のモータ出力をモータ停止状態から高出力値まで連続的に増減して、スプール１１の巻取り速度を制御するようになっている。
【００１０】
また、図１に示すようにスプール１１後方の側板１，３間には、側板３内に装着したクラッチ機構を操作するクラッチレバー２５が下方向へ押圧操作可能に取り付けられており、当該クラッチレバー２５の押圧操作で、クラッチ機構がクラッチＯＮからクラッチＯＦＦに切り換わるようになっている。
そして、このクラッチＯＦＦ状態でハンドル１５を巻取り方向へ回転させると、図示しない周知の復帰機構を介してクラッチ機構がクラッチＯＮ状態に復帰するように構成されており、このクラッチＯＮ／ＯＦＦの切換えでスプール１１が釣糸巻取り状態と釣糸繰出し状態とに切り換わって、スプール１１へのスプール駆動モータ１３やハンドル１５の動力が伝達／遮断されるようになっている。
【００１１】
一方、図１中、２７はスプール１１の回転数とその回転方向を検出する回転検出手段で、当該回転検出手段２７は、フレーム５に装着された一対のホール素子やリードスイッチ等からなる磁気センサ２９と、これらに対向してスプール１１の一端側周縁部に固着されたマグネット３１とで構成されており、磁気センサ２９はマイクロコンピュータ２１のＣＰＵに接続されている。
【００１２】
而して、ＣＰＵは、特開平５−１０３５６７号公報で開示された糸長計測装置と同様、磁気センサ２９から出力されるスプール１１の正転，逆転の判定信号を取り込んで釣糸の繰出しか巻取りかを判定すると共に、磁気センサ２９から取り込むスプール１１の回転パルス信号をカウントして、この計数値を基にマイクロコンピュータ２１のＲＯＭに記憶された糸長計算式を演算実行するようになっている。
【００１３】
そして、ＣＰＵは、後述する「実釣モード」や「水中探知情報標準表示モード」，「水中探知情報変更表示モード」で、その演算結果たる糸長計測情報（糸長計測値）を、表示駆動回路３３を介して制御ボックス１９の操作パネル３５上に設けた表示器３７に表示させるが、表示器３７はドットマトリックス方式のＴＦＴ液晶ディスプレイで構成されている。そして、図３に示すように「実釣モード」に於て、ＣＰＵは、表示器３７の中央の上カラ表示部３９と棚カラ表示部４１に、夫々、水面からの仕掛けの水深と棚からの仕掛けの距離を上下２段に並列させて大きく表示し、表示器３７の左下のモード表示部４３に現在のモード名「実釣」を表示させるようになっている。
【００１４】
尚、「実釣モード」とは、実釣時の釣糸の繰出しやハンドル１５，パワーレバー１７の操作による釣糸の巻取りに伴い、糸長が計測されて図３の如く計測値が表示器３７に表示される通常の魚釣りモードである。
ここで、棚位置の設定について説明すると、上述したようにＣＰＵは、磁気センサ２９からの回転パルス信号を基に糸長を計測して上カラ表示部３９に表示させるが、釣りの開始時に釣糸を竿先から水面まで繰り出した処で釣人が操作パネル３５上に設けたリセットスイッチ４５を操作すると、上カラ表示部３９の表示値が「０．０」にリセットされるようになっている。
【００１５】
この後、釣人が釣糸を繰り出していくと、ＣＰＵで演算，計測された糸長が上カラ表示部３９に表示され、釣糸が例えば９５．５ｍ繰り出された処で釣人が操作パネル３５上に設けた棚メモスイッチ４７を操作すると、棚カラ表示部４１に「０．０」が表示されて棚位置が設定され、以後、図３に示すように棚位置から例えば１５ｍの釣糸の巻取りに伴う仕掛けの距離と水面からの繰出し量が、夫々、棚カラ表示部４１と上カラ表示部３９に表示されるようになっている。
【００１６】
図１に示すようにリセットスイッチ４５と棚メモスイッチ４７は、表示器３７に隣接して操作パネル３５上に設けられているが、操作パネル３５上には更にモードスイッチ４９が表示器３７に隣接して設けられており、これらのスイッチ４５，４７，４９はマイクロコンピュータ２１に接続されている。
そして、釣人が給電コードにより電動リール７をバッテリに接続して通電すると、図４に示すようにマイクロコンピュータ２１はこの初期通電で「実釣モード」となるが、後述するようにこの「実釣モード」に於て更にモードスイッチ４９を順次操作すると、マイクロコンピュータ２１は「実釣モード」→「水中探知情報標準表示モード」→「水中探知情報変更表示モード」→「実釣モード」へと交互に切り換わっていくようになっている。
【００１７】
次に、「水中探知情報標準表示モード」について説明すると、図３に示すように釣人が乗船する釣船５１には魚群探知機（以下、「魚探」という）５３と送信機５５が装備され、送信機５５に魚探５３が接続されている。
そして、送信機５５内にはマイクロコンピュータ５７が組み込まれており、送信機５５は、マイクロコンピュータ５７で処理した魚探５３の水中探知情報に関する送信データを無線信号で外部に送信するようになっている。
【００１８】
一方、図２に示すように電動リール７には、釣船５１側（送信機５５）から送信された送信データを受信する受信機５９が内装されて、マイクロコンピュータ２１に接続されている。
そして、釣人がモードスイッチ４９を操作してマイクロコンピュータ２１を図４の如く「実釣モード」から「水中探知情報標準表示モード」に切り換えると、ＣＰＵは表示器３７を「水中探知情報標準表示モード」の表示態様に切り換えるようになっている。
【００１９】
図５は「水中探知情報標準表示モード」の一表示形態を示し、この「水中探知情報標準表示モード」でＣＰＵは、表示駆動回路３３を介して表示器３７の中央を水中探知情報標準表示部６１として、当該水中探知情報標準表示部６１上に釣船５１からの送信データを表示させるようになっている。
而して、水中探知情報標準表示部６１には水深目盛り６３が右側の上下方向に表示され、この水深目盛り６３に合わせて、海面６５や設定された棚位置６７，魚探５３で得られた海底形状６９や魚群７１が実線や破線，図形等で表示されると共に、仕掛けの位置が「釣針」のマーク７３で図形表示され、更に、海底形状６９の近傍には魚探５３で得られた海底までの水深７５が表示されるようになっている。
【００２０】
また、ＣＰＵは、上述した表示に加え、表示器３７の右側上部を新たに上カラ表示部３９-1と棚カラ表示部４１-1として、これらに仕掛けの糸長と仕掛けの棚からの距離を上下２段に表示させると共に、前記モード表示部４３に現在のモード名「情報標準表示」を表示させるようになっている。
このように本実施形態は、「水中探知情報標準表示モード」に於て、図５の如く水中探知情報と糸長計測情報とを同一スケールで継続的に重合表示するようになっており、釣人は斯かる糸長計測情報と水中探知情報を基に実釣が可能となる。
【００２１】
そして、既述したように前記「水中探知情報標準表示モード」で、釣人が更にモードスイッチ４９を操作すると、マイクロコンピュータ２１は「水中探知情報標準表示モード」から「水中探知情報変更表示モード」へと切り換わる。
この「水中探知情報変更表示モード」は、時々刻々変化する仕掛けの状態に応じ、表示器３７の表示態様を自動的に切り換えて魚釣り操作性の向上を図るもので、次にこの「水中探知情報変更表示モード」について説明する。
【００２２】
マイクロコンピュータ２１のＲＯＭには、実釣時の仕掛けの状態が次の(1)〜(6)に分類されて予め設定，記憶されている。
(1)船縁にある
(2)仕掛けの落下中
(3)底付近で停留
(4)魚層（棚位置）で停留
(5)さそい中
(6)回収中
而して、実釣時に仕掛けの状態がこれらの何れにあるかは、糸長計測装置の糸長計測情報と魚群５３の水中探知情報を基に判定でき、ＣＰＵは、所定時間当たりの仕掛けの移動量（釣糸の繰出し量や巻取り量）や仕掛けの上下方向への変化等から、仕掛けが(1)〜(6)の何れの状態にあるかを判定することができる。
【００２３】
図６乃至図８は「水中探知情報変更表示モード」に於ける表示器３７の表示態様を示し、図６は標準の表示態様で、上述したようにＣＰＵは、所定時間当たりの仕掛けの移動量や上下方向への変化等から、仕掛けが(1)，(2)，(6)の状態にあると判定すると、表示器３７の中央を水中探知情報変更表示部７７としてこれに、図６の水中探知情報標準表示部６１と同様の表示をさせると共に、表示器３７の右側上部の上カラ表示部３９-1と棚カラ表示部４１-1に糸長計測情報を表示し、表示器３７の左下のモード表示部４３に現在のモード名「情報変更表示」を表示させるようになっている。
【００２４】
また、ＣＰＵは、水中探知情報と糸長計測情報から、仕掛けが(3)の状態になったと判定すると、図７に示すように海底付近を拡大して水中探知情報変更表示部７７に海底形状６９と仕掛け７３，水深目盛り６３を拡大表示し、更にまた、仕掛け７３が(4)，(5)の状態になったと判定すると、図８に示すようにＣＰＵは、棚位置付近を拡大して水中探知情報変更表示部７７に棚位置６７と仕掛け７３，魚群７１，水深目盛り６３を拡大表示すると共に、さそい中であれば、仕掛け７３の近傍にさそい中であることを示すマーク７９を表示させるようになっている。
【００２５】
そして、ＣＰＵは、仕掛けの状態に応じ、図６乃至図８の表示態様を適宜切り換えるように構成されているが、既述したように釣人がこの「水中探知情報変更表示モード」でモードスイッチ４９を操作すると、図４に示すようにマイクロコンピュータ２１は「実釣モード」に移行して、表示器３７は図３の表示態様に切り換わるようになっている。
本実施形態に係る電動リール７はこのように構成されているから、給電コードを介して電動リール７をバッテリに接続すると、図３に示すようにマイクロコンピュータ２１はこの初期通電状態で「実釣モード」となり、実釣時の釣糸の繰出しやハンドル１５，パワーレバー１７の操作による釣糸の巻取りに伴い、糸長が演算，計測されて図３の如く糸長が表示器３７の上カラ表示部３９と棚カラ表示部４１に表示されると共に、モード表示部４３に現在のモード名「実釣」が表示される。
【００２６】
そして、釣人がモードスイッチ４９を操作すると、図４に示すようにマイクロコンピュータ２１は「実釣モード」から「水中探知情報標準表示モード」に切り換わる。
而して、釣船５１からは、魚探５３の水中探知情報に関する送信データが送信機５５で送信され、電動リール７は斯かる送信データを受信機５９で受信してマイクロコンピュータ２１に入力しており、既述したようにＣＰＵは、「水中探知情報標準表示モード」に於て、図５に示す表示態様で水中探知情報と糸長計測情報とを同一スケールで継続的に重合表示する。
【００２７】
更に、この「水中探知情報標準表示モード」で、釣人がモードスイッチ４９を操作すると、マイクロコンピュータ２１は「水中探知情報標準表示モード」から「水中探知情報変更表示モード」へと切り換わる。
そして、ＣＰＵは、糸長計測情報と魚群５３の水中探知情報を基に、仕掛けの状態が既述した(1)〜(6)の何れにあるかを判定し、所定時間当たりの仕掛けの移動量や上下方向への変化等から、仕掛けが(1)，(2)，(6)の状態にあると判定すると、図６に示す表示態様で水中探知情報と糸長計測情報とを同一スケールで重合表示し、モード表示部４３に現在のモード名「情報変更表示」を表示させる。
【００２８】
更に、ＣＰＵは、水中探知情報と糸長計測情報から、仕掛けが(3)の状態になったと判定すると、図７に示すように海底付近を拡大して水中探知情報変更表示部７７に海底形状６９と仕掛け７３，水深目盛り６３を拡大表示し、更にまた、仕掛け７３が(4)，(5)の状態になったと判定すると、図８に示すようにＣＰＵは、棚位置付近を拡大して水中探知情報変更表示部７７に棚位置６７と仕掛け７３，魚群７１，水深目盛り６３を拡大表示すると共に、さそい中であれば、仕掛け７３の近傍にさそい中であることを示すマーク７９を表示させることとなる。
【００２９】
そして、ＣＰＵは、仕掛けの状態に応じ、図６乃至図８の表示態様を適宜切り換え、釣人がこの「水中探知情報変更表示モード」でモードスイッチ４９を操作すると、マイクロコンピュータ２１は「実釣モード」に移行して、表示器３７は図３の表示態様に切り換わることとなる。
このように本実施形態は、糸長計測情報と水中探知情報に基づく仕掛けの状態に応じ、表示器の表示状態を自動的に変更（拡大，標準）するように構成したので、水中探知情報と糸長計測情報とを同一スケールで継続的に重合表示する特許文献１，２等の従来例に比し、棚取り，誘い，巻取り等の魚釣り操作を容易に行うことができることとなった。
【００３０】
尚、上記実施形態では、図４に示すようにモードスイッチ４９の操作で、マイクロコンピュータ２１を「実釣モード」→「水中探知情報標準表示モード」→「水中探知情報変更表示モード」→「実釣モード」へと交互に切り換え可能としたが、「水中探知情報標準表示モード」は省略してもよい。
また、上記実施形態は、本発明に係る釣り情報表示装置を電動リールに適用したが、魚釣用リールとは別の表示装置や、表示装置を備えた携帯用の魚探装置等にも適用することが可能である。
【図面の簡単な説明】
【００３１】
【図１】請求項１の一実施形態に係る釣り情報表示装置を適用した電動リールの平面図である。
【図２】図１に示す電動リールの制御ブロック図である。
【図３】「実釣モード」に於ける表示器の表示態様の説明図である。
【図４】マイクロコンピュータのモード変化を示すフローチャートである。
【図５】「水中探知情報標準表示モード」に於ける表示器の表示態様の説明図である。
【図６】「水中探知情報変更表示モード」に於ける表示器の表示態様の説明図である。
【図７】「水中探知情報変更表示モード」に於ける表示器の表示態様の説明図である。
【図８】「水中探知情報変更表示モード」に於ける表示器の表示態様の説明図である。
【符号の説明】
【００３２】
１，３  側板
５  フレーム
７  電動リール
９  リール本体
１１  スプール
１３  スプール駆動モータ
１５  ハンドル
１７  パワーレバー
２１，５７  マイクロコンピュータ
２５  クラッチレバー
２７  回転検出手段
３７  表示器
３９，３９-1  上カラ表示部
４１，４１-1  棚カラ表示部
４３  モード表示部
４５  リセットスイッチ
４７  棚メモスイッチ
４９  モードスイッチ
５１  釣船
５３  魚探
５５  送信機
５９  受信機
６１  水中探知情報標準表示部
６３  水深目盛り
６５  海面
６７  設定された棚位置
６９  海底形状
７１  魚群
７３  マーク
７５  水深
７７  水中探知情報変更表示部
【図１】
2007215457.tif 000003
【図２】
2007215457.tif 000004
【図３】
2007215457.tif 000005
【図４】
2007215457.tif 000006
【図５】
2007215457.tif 000007
【図６】
2007215457.tif 000008
【図７】
2007215457.tif 000009
【図８】
2007215457.tif 000010